(57)【要約】      （修正有）【課題】病室内に設置され、患者に医療看護行為を行う為の病室用医療看護設備ユニットに関するもので、簡単な構造で、操作性に優れた病室用医療設備ユニットを提供する。【解決手段】医療用ガス取出し部１１と医療用電気設備部１０の前面を開閉装置を介して前面カバー２で開閉自在とした病室用医療看護設備ユニット１００において、開閉装置は、前面カバーの昇降を案内するレール装置５と、前面カバーの開放状態を維持するラッチ装置３と、前面カバーの降下動作を緩和するブレーキ装置７を有し、ブレーキ装置は、固定側に略水平方向に配設されたブレーキダンパーと、前面カバーの降下時、ブレーキダンパーのシャフト先端部分に当接し、前面カバーの裏面側に上下方向に渡って配設された押圧部材８よりなり、押圧部材は、前面カバーの降下にともなって、シャフトをブレーキダンパー本体に押し込む方向に傾斜している。【選択図】図２
2010042072.tif 000002
【特許請求の範囲】
【請求項１】
開閉装置を介して、正面側の少なくとも一部を前面カバーで開閉自在とした病室用医療看護設備ユニットにおいて、開閉装置は、前面カバーの昇降を案内するレール装置と、前面カバーの開放状態を維持するラッチ装置と、前面カバーの降下動作を緩和するブレーキ装置を有し、ブレーキ装置は、固定側に略水平方向に配設されたブレーキダンパーと、前面カバーの降下時、ブレーキダンパーのシャフト先端部分に当接し、前面カバーの裏面側に上下方向に渡って配設された押圧部材よりなり、押圧部材は、前面カバーの降下にともなって、シャフトをブレーキダンパー本体に押し込む方向に傾斜していることを特徴とする病室用医療看護設備ユニット。
【請求項２】
開閉装置を介して、正面側の少なくとも一部を前面カバーで開閉自在とした病室用医療看護設備ユニットにおいて、開閉装置は、前面カバーの昇降を案内するレール装置と、前面カバーの開放状態を維持するラッチ装置と、前面カバーの開閉操作を補助する定荷重バネ装置と、前面カバーの降下動作を緩和するブレーキ装置を有し、定荷重バネ装置は、前面カバーが降下する荷重に設定され、ブレーキ装置は、固定側に略水平方向に配設されたブレーキダンパーと、前面カバーの降下時、ブレーキダンパーのシャフト先端部分に当接し、前面カバーの裏面側に上下方向に渡って配設された押圧部材よりなり、押圧部材は、前面カバーの降下にともなって、シャフトをブレーキダンパー本体に押し込む方向に傾斜していることを特徴とする病室用医療看護設備ユニット。
【請求項３】
押圧部材は、前面カバーの裏面側に上部を回動自在に連結し、下端部を左右方向で連結位置変更可能とした事を特徴とする請求項１、又は、請求項２に記載の病室用医療看護設備ユニット。
【発明の詳細な説明】
【技術分野】
【０００１】
本発明は、病室内に設置され、患者に医療看護行為を行う為の病室用医療看護設備ユニットに関するものである。
【背景技術】
【０００２】
従来、上記病室用医療看護設備ユニットは、ベッド側方の頭部側壁面に固定され、前面上部に医療用ガス取り出し部を有し、ベッド側の側面に電気設備を有し、医療用ガス取り出し部は、上昇して前面を開放し、下降して前面を閉鎖する、昇降機構を介して昇降自在の前面カバーにて開放閉塞自在に構成され、昇降機構は、レール装置と定荷重バネ装置よりなり、
定荷重バネ装置は、前面カバーの荷重に相当する定荷重に設定されているものであった。（例えば特許文献１参照。）
そのため、前面カバーは開放位置、閉鎖位置で停止状態とすることはできるが、前面カバーを閉鎖位置から開放位置に移動させる場合、あるいはその逆の場合、前面カバーの上端面あるいは下端面に手を添えて、上方あるいは下方向きの力を手先に加える必要がある。この時、その力加減が合わず、急激に前面カバーを押し上げたり、あるいは押し下げたりすることによる衝突音、あるいは衝撃による振動が患者に不快感を与えるだけでなく、看護師等が医療看護用器具等を保持した状態で上記操作を行うと、予測する開閉作業時（特に押し下げる時）の予測感覚と、実際の開閉作業の感覚が大きく乖離することによって、姿勢をくずし、器具を患者の顔面に落下させる等、非常に危険でもあった。
すなわち、前面カバーを開放状態から閉鎖状態にする場合は、指先の押し下げ力に前面カバーの荷重が付加されるので、患者の神経に触らない程度（衝突音が発生しない程度）の降下スピードで降下させるのは非常に困難であり、使い勝手が悪かった。
【０００３】
【特許文献１】特開平１０−８５２７６号公報
【発明の開示】
【発明が解決しようとする課題】
【０００４】
本発明は、従来の問題点に鑑みて、簡単な構造で、操作性に優れた病室用医療看護設備ユニットを提供することを課題とする。
【課題を解決するための手段】
【０００５】
そこで、上記課題を解決する為、本発明が第１の手段として構成したところは、開閉装置を介して、正面側の少なくとも一部を前面カバーで開閉自在とした病室用医療看護設備ユニットにおいて、開閉装置は、前面カバーの昇降を案内するレール装置と、前面カバーの開放状態を維持するラッチ装置と、前面カバーの降下動作を緩和するブレーキ装置を有し、ブレーキ装置は、固定側に略水平方向に配設されたブレーキダンパーと、前面カバーの降下時、ブレーキダンパーのシャフト先端部分に当接し、前面カバーの裏面側に上下方向に渡って配設された押圧部材よりなり、押圧部材は、前面カバーの降下にともなって、シャフトをブレーキダンパー本体に押し込む方向に傾斜しているものである。
【０００６】
次に、上記課題を解決する為、本発明が第２の手段として構成したところは、正面側の少なくとも一部を開閉装置を介して、前面カバーで開閉自在とした病室用医療看護設備ユニットにおいて、開閉装置は、前面カバーの昇降を案内するレール装置と、前面カバーの開放状態を維持するラッチ装置と、前面カバーの開閉操作を補助する定荷重バネ装置と、前面カバーの降下動作を緩和するブレーキ装置を有し、定荷重バネ装置は、前面カバーが降下する荷重に設定され、ブレーキ装置は、固定側に略水平方向に配設されたブレーキダンパーと、前面カバーの降下時、ブレーキダンパーのシャフト先端部分に当接し、前面カバーの裏面側に上下方向に渡って配設された押圧部材よりなり、押圧部材は、前面カバーの降下にともなって、シャフトをブレーキダンパー本体に押し込む方向に傾斜しているものである。
【０００７】
次に、上記課題を解決するため本発明が手段とする第３の特徴は、上記第１、又は、第２の特徴に加え、押圧部材は、前面カバーの裏面側に上部を回動自在に連結し、下端部を左右方向で連結位置変更可能としたものである。
【発明の効果】
【０００８】
請求項１に記載の発明によると、ラッチ装置は前面カバーの開放状態を維持し、前面カバーの降下動作を緩和するブレーキ装置を有しているので、前面カバーの開放状態を維持するラッチ装置を解除すれば、前面カバーはゆっくりと降下して閉鎖状態となるので、使い勝手が非常に良く、医療看護器具を持っていても安全にしようすることができる。
又、ブレーキ装置は、固定側に配設されたブレーキダンパーと、前面カバーの裏面側に配設され、ブレーキダンパーのシャフト先端部分に当接する押圧部材よりなり、ブレーキダンパーは略水平方向で、押圧部材は上下方向に配設され、前面カバーの降下にともなって、シャフトをブレーキダンパー本体に押し込む方向に傾斜しているので、前面カバ―の昇降距離が大きくても、ストロークの小さいブレーキダンパーで対応することができ、全体の構造がコンパクトになる。
【０００９】
請求項２に記載の発明によると、上記効果に加え、定荷重バネ装置は、前面カバーの荷重よりやや軽めに設定されているので、前面カバーが不測に上昇することがなく、又、前面カバーを上昇させる動作に不要な力を必要とせず、使い勝手がよい。
【００１０】
請求項３に記載の発明によると、請求項１に記載の発明による効果、又は、請求項２に記載の発明による効果に加え、押圧部材は、前面カバーの裏面側に上部を回動自在に連結し、下端部を左右方向で連結位置変更可能としているので、押圧部材の傾斜角度の調節が可能となり、前面カバーの降下スピードを適宜選択できるので、医療看護設備ユニットの設置時に調整すれば、その後、ラッチ装置を操作するだけで、所望のスピードで前面カバーが降下するので、患者に不愉快な思いをさせることがなく、非常に使い勝手が良い。
【発明を実施するための最良の形態】
【００１１】
開閉装置を介して、医療用ガス取出し部と医療用電気設備部の前面を前面カバーで開閉自在とした病室用医療看護設備ユニットにおいて、開閉装置は、前面カバーの昇降を案内するレール装置と、前面カバーの開放状態を維持するラッチ装置と、前面カバーの開閉操作を補助する定荷重バネ装置と、前面カバーの降下動作を緩和するブレーキ装置を有し、定荷重バネ装置は、前面カバーの荷重よりやや軽めに設定され、ブレーキ装置は、固定側に略水平方向に配設されたブレーキダンパーと、前面カバーの降下時、ブレーキダンパーのシャフト先端部分に当接し、前面カバーの裏面側に上下方向に渡って配設された押圧部材よりなり、押圧部材は、前面カバーの裏面側に上部を回動自在に連結し、下端部を左右方向で連結位置変更可能とし、前面カバーの降下にともなって、シャフトをブレーキダンパー本体に押し込む方向に傾斜する傾斜角度を調節可能としていることを特徴とする病室用医療看護設備ユニット。
【実施例】
【００１２】
以下、実施例を添付図面に基づいて詳述する。
図１において、符号１００は、ベッドの頭部側壁面に設置された本発明の医療看護設備ユニットを示し、医療看護設備ユニット１００は、基台１と、基台１の左右の前面側を開閉装置を介して開閉する左右の前面カバー２、２と、左右の前面カバー２、２間の前面側に設けられた固定カバー４より構成されている。
【００１３】
基台１は、縦断面略コ字形の基枠１３と、基枠１３の左右端部に取付けられた左右閉塞板１４、１４と、左右閉塞板１４、１４間の所定位置に取り付けられた左右区画板１５、１５より左右方向で３分割され、前面が開口する横長箱状に形成されると共に、右閉塞板１４と右区画板１５間と基枠１３の前面側に、取付座１６に取付けられる医療用ガス取出金具の種類に応じたガス取出用化粧カバー１７が着脱自在に取付けられ、内部が隠蔽された医療用ガス取出部１１を有している。
【００１４】
又、左閉塞板１４と左区画板１５間と基枠１３の前面側に、取付座に取付けられる医療用電気設備金具の種類に応じた電気設備化粧カバー１８が着脱自在に取付けられ、内部が隠蔽された医療用電気設備部１０を有している。
さらに、基枠１３の下面で左右区画板１５、１５間に開口部を形成し、この開口部にナースコールユニットと室内照明スイッチユニット等からなる患者用操作ユニット１２１が取付けられると共に、基枠１３の前面の左右区画板１５、１５間に前記固定カバー４が取付けられ、内部が隠蔽された患者用操作部１２を有している。   
【００１５】
左右の前面カバー２、２は、固定カバー４の左右上端部と前面カバー２、２間に設けられたラッチ装置３、３と、基台１と前面カバー２、２間に設けられたレール装置５・・・、定荷重バネ装置６、６、ブレーキ装置７、７よりなる開閉装置を介して昇降自在とし、上昇位置で、医療用電気設備部１０、医療用ガス取出部１１の前面を開放し、下降位置で、医療用電気設備部１０、医療用ガス取出部１１の前面を隠蔽している。
【００１６】
左右の前面カバー２、２及びその開閉装置は、左右対称に配設されているので、以下、医療用ガス取出部１１側の前面カバー２及びその開閉装置について説明する。
前面カバー２は横長長方形状の前面基板２１と、前面基板２１の右側端部を内方に横向き略Ｌ字形に折り曲げた右側片２２と、左側端部を後端部が右側片２２の中程まで達しない程度の奥行きで内方に折り曲げた左側片２３と、左側片２３と所定間隔を有して内側よりで上下方向に渡って設けられたラッチ受け取付用補強材２４と、前面基板２１の上端部を右側片２２とほぼ同等の奥行きで、内方に横向き略Ｌ字形に折り曲げた上片２５と、
前面基板２１の下端部を左側片２３とほぼ同等の奥行きで、内方に横向き略Ｌ字形に折り曲げた下片２６より形成され、基台１と連結された状態で基台１と下片２６間には所定の間隙２０が形成される。
そして、前面基板２１の左右端部側裏面の上下方向に渡って、レール取付座５１、５１が設けられ、下辺２６の左右方向略中央部内側に定荷重バネ装置６のバネ連結座６１が設けられている。
尚、固定カバー４側のレール取付座５１はブレーキ装置７の一部が取付けられる関係上他方より左右方向に幅広に形成されている。
【００１７】
レール装置５、５は左右対称に配設されているので右側についてのみ説明する。右側のレール装置５は、前面カバー２のレール取付座５１に上下方向に渡って連結されるカバー側レール部材５２と、基枠１３の前面側左右端部に上下方向に渡って設けられた基台側レール取付座５３、５３の前面に上下方向に渡って配設された基台側レール部材５４と、カバー側レール部材５２と、基台側レール部材５４を左右方向に連結するレール連結板５５より構成されている。
符号５６は、基台側レール部材５４と、レール連結板５５の基台側レール部材５４側の前方に張り出して、基台側レール取付座５３に上下方向に渡って設けられ、前面カバー２が最も上昇した状態で基台側レール部材５４を前面側から隠蔽するレールカバーを示している。
【００１８】
カバー側レール部材５２は、前面カバー２のレール取付座５１と連結される移動側アウターメンバー５２１と、移動側アウターメンバー５２１と、移動側ボールリテーナ５２２に回転自在に保持された複数個のボール５２３・・・を介して、移動側アウターメンバー５２１に摺動自在に保持された移動側インナーメンバー５２４より構成されている。
基台側レール部材５４は、基台側レール取付座５３と連結される固定側アウターメンバー５４１と、固定側アウターメンバー５４１と、固定側ボールリテーナ５４２に回転自在に保持された複数個のボール５４３・・・を介して、固定側アウターメンバー５４１に摺動自在に保持された固定側インナーメンバー５４４より構成されている。
【００１９】
すなわち、カバー側レール部材５２と基台側レール部材は対向した同系に形成されており移動側アウターメンバー５２１と固定側アウターメンバー５４１と移動側インナーメンバー５２４と固定側インナーメンバー５４４は、前面カバー２の高さ寸法とほぼ同等の長さに形成され、移動側ボールリテーナ５２２と固定側ボールリテーナ５４２はほぼその半分の長さに形成される事により、移動側インナーメンバー５２４と、レール連結板５５を介して移動側インナーメンバー５２４と連結された固定側インナーメンバー５４４は移動側アウターメンバー５２１の移動距離の２分の１移動する。
【００２０】
そして、前面カバー２が下降し、移動側アウターメンバー５２１、移動側インナーメンバー５２４、固定側インナーメンバー５４４が同じ高さに位置し、医療用ガス取出部１１の前面を閉鎖したとき、それ以上の下降を停止させる下降時ストッパー（図示せず。）と、前面カバー２が最も上昇して、医療用ガス取出部１１の前面を開放したとき、それ以上の上昇を阻止する上昇時ストッパー（図示せず。）が、カバー側レール部材５２と基台側レール部材５４間に構成されている。
【００２１】
前面カバー２が最も上昇して、医療用ガス取出部１１の前面を開放した状態を維持するためのラッチ装置３は、固定カバー４の左右上端部に設けられたラッチ金具３１と、前面カバー２の固定カバー４側の下端部に設けられたラッチ受け部材３２より構成されている。
ラッチ金具３１は、ラッチ取付座３３を介して固定カバー４の前面カバー２側の上端部内面にもうけられ、ラッチ取付座３３と固定カバー４の折り曲げ側片４１で保持されたラッチ金具本体３５と、ラッチ金具本体３５の上面から上方に突出し、固定カバー４の上端面から上方に突出する操作突部３６と、操作突部３６の上下動によって前面カバー側に出入自在となる係止部材３７より構成され、操作突部３６と係止部材３７は操作用バネ３６１と係止用バネ３７１によって、常にラッチ金具本体３５から突出する方向に弾性力が付勢されている。
【００２２】
詳述すると、係止部材３７は、左右方向略中央部に上端から前面カバー２側に向かって下方に傾斜する引き込み傾斜面３７２と、前面カバー２側端部に下面が前面カバー２側に向かって上方に傾斜する係止案内面３７３が形成された係止突部３７４を有し、左右方向で移動可能にラッチ金具本体３５に保持されている。
【００２３】
操作突部３６は、前後方向でラッチ金具本体３５を貫通し、前記引き込み傾斜面３７２の上面に当接する引き込み杆３６２を下端部に有し、上下方向で移動可能にラッチ金具本体３５に保持されている。
ラッチ金具本体３５は、前記引き込み杆３６２が貫挿する上下方向に長い案内孔３５１を前後面に有し、後端面と係止部材３７の後端内部で係止用バネ３７１保持し、上端面と操作突部３６の内部で操作用バネ３６１を保持している。
【００２４】
一方、ラッチ受け部材３２は、ラッチ受け取付用補強材２４の固定カバー４側の下端部に取付けられ、前面カバー２から固定カバー４側にやや突出する縦断面コ字形の係合突部３２１を上端部に有している。
【００２５】
すなわち、前面カバー２が、医療用ガス取出部１１の前面を閉鎖した状態で、ラッチ金具３１の係止突部３７４は、係止用バネ３７１によって、ラッチ金具本体３５（固定カバー４）から前面カバー２の左側片２３の後方で、ラッチ受け取付用補強材２４の固定カバー４側に突出し、操作突部３６も操作用バネ３６１によって、固定カバー４の上方に突出した状態で維持されている。
そして、前面カバー２が上昇して、係合突部３２１が係止案内面３７３に当接すると、係合突部３２１は、係止用バネ３７１に抗して係止部材３７を前面カバー２から一旦遠ざかる方向に押しやり、係合突部３２１が係止突部３７４に上方に位置すると、係止用バネ３７１によって、再びもとの状態に復帰し、係止突部３７４が係合突部３２１の下面に係止し、前面カバー２の上昇状態を維持する。（図７に示す状態。）
【００２６】
この状態から、固定カバー４の上方に突出した操作突部３６を操作用バネ３６１の弾性に抗して下方に押し下げると、操作突部３６の下端部に設けられた引き込み杆３６２が引き込み傾斜面３７２に当接しながら下方に移動するので、係止部材３７は、係止用バネ３７１に抗して固定カバー４内に引き込まれる方向に移動し、係止突部３７４と係合突部３２１の係止状態が解除される。（図８に示す状態。）
【００２７】
このとき、前面カバー２が、自重によって急激に落下するのを防止し、手を添えなくても、医療用ガス取出部１１を隠蔽する位置に安全に降下するよう、又、前面カバー２を軽い力で押し上げることができるよう、前面カバー２、２と基台１間にブレーキ装置７、７、定荷重バネ装置６、６が設けられている。
定荷重バネ装置６は、図５、図１０に示すように、基枠１３の上端縁で医療用ガス取出部１１の左右方向略中央部の内面に設けられ、下端左右両端部側が前方に突出する連結用突片６２１、６２１を有する定荷重バネ取付座６２に、ドラム部６３を保持する保持片６４１、６４１を中央部側に対向して有する保持金具６４、６４を連結し、ドラム６３に巻き取られるバネ部６５の先端が、前面カバー２のバネ連結座６１に連結されて構成され、レール装置５（カバー側レール部材５２）と前面カバー２を合わせた荷重よりやや軽めの定荷重に設定され、前面カバー２の押し上げを補助（軽い力で上昇させることができる）している。
【００２８】
ブレーキ装置７は、図１１〜図１４に示すように、基枠１３の上端縁左側部前面に配設されたブレーキダンパー７１と、前面カバー２の裏面側で、上部を左右方向中央部よりに、下部を左側端部よりに傾斜して、上下方向に配設された押圧部材８より構成されている。
ブレーキダンパー７１は、ブレーキダンパー本体７１１と、常時はブレーキダンパー本体７１２より突出し、所定の負荷によってゆっくりとブレーキダンパー本体７１１内に押し込まれるシャフト７１２より構成されている。
【００２９】
そして、ブレーキダンパー７１は、基枠１３の上端縁に取付けられたダンパー保持金具７３と、ダンパー保持金具７３に連結されるダンパー固定金具７４で所定位置に保持されている。
ダンパー保持金具７３は、基枠１３の上端縁内面に連結される逆Ｌ字形の取付部７３１と、取付部７３１の左右端部から左右方向に所定間隔を有して前方に突出し、中央部分にブレーキダンパー本体７１１が貫挿する貫通支持孔７３２、７３２が形成された左右支持片７３３、７３３と、取付部７３１の下端部から左右支持片７３３、７３３の下端間に位置して前方に突出し、左右に所定間隔を有して連結用螺孔７３４、７３４が形成された固定金具連結座７３５より形成されている。
【００３０】
ダンパー固定金具７４は、固定金具連結座７３５の下面に連結される固定金具連結片７４１と、固定金具連結片７４１の右側端部から上方に突出し、右支持片７３３と所定間隔を有するダンパー支持突片７４２より形成され、固定金具連結片７４１には連結用螺孔７３４が対応する位置で左右方向に長い連結用長孔７４３が形成されている。
【００３１】
すなわち、ブレーキダンパー７１は、左右支持片７３３、７３３の貫通支持孔７３２、７３２を貫挿した状態で、ブレーキダンパー本体７１１のシャフト７１２と反対側の端面にダンパー支持突片７４２を当接し、所定の連結用螺孔７３４と連結用長孔７４２を挿通する連結ネジ７４４にて、固定金具連結片７４１が固定金具連結座７３５に連結される。
この状態で、シャフト７１２の先端は押圧部材８に当接するので、左右方向に移動することがなく所定の位置に保持される。
尚、連結用長孔７４２が左右方向に長く形成されているのは、ブレーキダンパー７１の左右方向の取り付け位置を適宜選択する為であり、連結用螺孔７３４、７３４が左右に所定間隔を有して形成されているのは、医療用電気設備部１０と、医療用ガス取出し部１１側のダンパー保持金具７３、７３を兼用する為である。
【００３２】
押圧部材８は、シャフト７１２の先端部分が当接する押圧面８１と、固定カバー４側のレール取付座５１に連結される取付面８２よりなり、取付面８２の下端部には後方に突出する（押圧面８１と同じ方向に突出する）連結突片８３１を有する略Ｌ字形の連結用調整金具８３が取付けられ、連結突片８３１には連結螺孔８３２形成されている。一方、連結突片８３１に対向して、連結突片８３１と同じ方向に突出する調節用突片８４１を有する略逆Ｌ字形の調節金具８４が前面カバー２の下端部内面に取付けられている。そして、調節用突片８４１には連結螺孔８３２に対応して左右方向に長い調節孔８４２が形成されている。
【００３３】
押圧部材８は上記の如く形成され、固定カバー４側のレール取付座５１の所定位置に設けられた上部連結螺孔８２１に取付面８２の上端部が、連結されて回動自在となり、連結突片８３１の連結螺孔８３２に、調節用突片８４１の調節孔８４２を下方から挿通する連結ネジ８５を螺合させ、押圧部材８を下端部が上端部より固定カバー４側に近づく方向に傾斜させる。尚、この時、押圧部材８が最も傾斜した状態で、前面カバー２が上昇して開放姿勢となったときでも、ブレーキダンパー７１のシャフト７１２の先端部は押圧面８１に当接するよう、連結用長孔７４２によって調節された位置で、ダンパー固定金具７４はダンパー保持金具７３に連結される。
【００３４】
すなわち、前面カバー２の開放姿勢からラッチ装置３を解除して、前面パネル２を降下させる場合、基台１と前面カバー２の下片２６間には所定の間隙２０が形成されているので、前面カバー２を上昇させた状態で、上記間隙からドライバーで、連結ネジ８５を緩めて、押圧部材８の傾斜角度を調節できるから、調整作業が非常に容易である。
最適な降下スピードを得ることができる。
このとき、押圧部材８の傾斜角度が垂直に近づくほど降下スピードは速くなる。
【図面の簡単な説明】
【００３５】
【図１】本発明の医療看護設備ユニットの正面図
【図２】左右の前面カバーを開放（上昇）させた状態の医療看護設備ユニットの正面図
【図３】図１のＡ−Ａ線要部拡大断面図
【図４】図１のＢ−Ｂ線要部拡大断面図
【図５】医療用ガス取出部の要部拡大横断面図
【図６】図５のＥ部拡大図
【図７】ラッチ装置の係止状態の要部拡大正面図
【図８】ラッチ装置の係止解除状態の要部拡大正面図
【図９】図７のＦ―Ｆ線要部断面図
【図１０】図５のＤ−Ｄ線要部拡大断面図
【図１１】図５のＣ−Ｃ線要部拡大断面図
【図１２】図１１のＨ−Ｈ線要部拡大断面図
【図１３】図１１のＧ−Ｇ線要部拡大断面図
【図１４】図１１のＪ−Ｊ線要部拡大断面図
【符号の説明】
【００３６】
１        基台
１０      医療用電気設備
１００    医療看護設備ユニット
１１      医療用ガス取出部
２、２    左右の前面カバー
３        ラッチ装置
４        固定カバー
５        レール装置
６        定加重バネ装置
７        ブレーキ装置
７１      ブレーキダンパー
７１１    ブレーキダンパー本体
７１２    シャフト
８        押圧部材
【図１】
2010042072.tif 000003
【図２】
2010042072.tif 000004
【図３】
2010042072.tif 000005
【図４】
2010042072.tif 000006
【図５】
2010042072.tif 000007
【図６】
2010042072.tif 000008
【図７】
2010042072.tif 000009
【図８】
2010042072.tif 000010
【図９】
2010042072.tif 000011
【図１０】
2010042072.tif 000012
【図１１】
2010042072.tif 000013
【図１２】
2010042072.tif 000014
【図１３】
2010042072.tif 000015
【図１４】
2010042072.tif 000016